(57)【要約】      （修正有）【課題】大きさの異なる鍵穴に使用できる施錠具を提供する。【解決手段】一種の施錠具８００であって、ハウジング１００と、回転フック２００と、駆動装置３００と、バックルベース４００と、を有す。回転フックはハウジング内部に設置され、ハウジングに相対的に回転可能であり、少なくとも部分的にハウジングの前端開口１１０から突き出た前端部２１０を有する。駆動装置は、加力部品３３０と、第１の駆動部品３１０と、第２の駆動部品３２０と、を有す。加力部品はハウジング外部に設置された受力部分３３１と、ハウジング内部に設置された加力部分３３２と、を有す。第１の駆動部品はハウジング内部に設置されており、加力部分と連動して回転を行う。第２の駆動部品はハウジング内部に設置され、第１の駆動部品と連動して回転し、選択的に位置を移動することで、前端部の開き幅の大きさを変更する。バックルベースは駆動装置の移動を制限する。【選択図】図２Ａ
0003235648.tif 000002
【実用新案登録請求の範囲】
【請求項１】
一種の施錠具であって、
一端に前端開口を有するハウジングと、前記ハウジング内部に設置され、前記ハウジングと相対的に回転可能であり、少なくとも一部が前記前端開口から突出する前端部と、前記前端部と反対方向に延伸する後端部と、を有す回転フックと、駆動装置と、ハウジング内部に設置され、閉鎖時に前記駆動装置の移動を制限するバックルベースと、を有し、
前記駆動装置は、前記ハウジング外部に設置された受力部分と、前記ハウジング内部に設置された加力部分と、を有し、前記受力部分と前記加力部分は前記ハウジングを通して相連なっており、且つ連動して前記ハウジングと相対的な回転を行う、加力部品と、前記ハウジング内部に設置され、前記加力部分と連動して回転を行う第１の駆動部品と、前記ハウジング内部に設置され、前記第１の駆動部品と連動して回転を行い、選択的に位置を移動することで、前記前端部の開き幅の大きさを変更する第２の駆動部品と、を有す施錠具。
【請求項２】
請求項１に記載の施錠具であって、前記加力部分は周縁上に複数の凸状部品が設置された円板であることと、前記第１の駆動部品は歯車であり、前記凸状部品は歯車の歯溝に噛み合うことで、前記第１の駆動部品と前記加力部分を連動回転させることが可能な施錠具。
【請求項３】
請求項１に記載の施錠具であって、前記回転フックは少なくとも２つであり、少なくともそのうちの１つはＸ−Ｙ平面に平行な平面に沿って前記ハウジングと相対的に回転可能であり、前記第２の駆動部品は選択的に位置を移動し、Ｙ軸方向に沿って異なる深さで前記後端部までの間に入り込むことで、前記前端部の開き幅の大きさを変更可能であることと、Ｘ軸、Ｙ軸、Ｚ軸は直交関係にあることを特徴とする施錠具。
【請求項４】
請求項３に記載の施錠具であって、前記加力部分はＸ-Ｙ平面に平行な平面に沿って回転を行うことと、前記第１の駆動部品はＸ-Ｚ平面に平行な平面に沿って回転を行うことを特徴とする施錠具。
【請求項５】
請求項３に記載の施錠具であって、前記第１の駆動部品は駆動穴を有し、前記第２の駆動部品の一端はＹ軸方向に沿って移動する方式で前記駆動穴と噛み合うことで、前記第２の駆動部品と前記第１の駆動部品を連動回転させることが可能であることを特徴とする施錠具。
【請求項６】
請求項３に記載の施錠具であって、前記ハウジング内部にＹ軸に沿って延伸する収納空間を有し、前記収納空間の側壁上に側壁ねじ山が設置されており、前記第２の駆動部品は前記収納空間内部に設置されており、前記第２の駆動部品は側面に前記側壁ねじ山とマッチングする駆動部品ねじ山を有す円柱であり、前記第１の駆動部品が回転を行う場合、前記第２の駆動部品も連動して回転し、前記側壁ねじ山と前記駆動部品ねじ山間の作用によって、前記第２の駆動部品の前記後端部に向かう一端に向かってＹ軸方向に沿って移動させて異なる深さで前記後端部までの間に入り込ませることを特徴とする施錠具。
【請求項７】
請求項３に記載の施錠具であって、前記第２の駆動部品は前記後端部に向かう一端に斜面を有することを特徴とする施錠具。
【請求項８】
請求項２に記載の施錠具であって、前記バックルベースは施錠棒を有し、前記バックルベースが閉鎖される場合、前記施錠棒の一端は前記第１の駆動部品の歯溝中に入り込んで、前記第１の駆動部品の移動を制限することを特徴とする施錠具。
【請求項９】
請求項８に記載の施錠具であって、前記施錠棒はＹ軸方向に沿って移動することを特徴とする施錠具。
【請求項１０】
請求項３に記載の施錠具であって、弾力を与えるのに用いて、前記後端部を相互接近させる弾性部品をさらに有す施錠具。
【考案の詳細な説明】
【技術分野】
【０００１】
本考案は一種の施錠具に関する。さらに言えば、本考案は一種の電子機器に用いる施錠具に関する。
【背景技術】
【０００２】
現代の生活において、消費性電子産品は重要な役割を担っており、それに加えて、快速さが求められる生活形態と人々の即時な情報な必要性により、携帯可能な電子産品は人々にとって必需品と化している。しかしながら、これらの産品は比較的高額な単価や現金に換えることの容易さの為に、盗難や乗っ取りに遭う可能性も高まっている。
【０００３】
盗難防止の為に、一種の施錠具が設計されつつある、例えば：ノートパソコン用施錠具であって、そのバックルと電子産品の盗難防止用鍵穴を接続した上で、さらに鍵ロックのメカニズムによってバックルの動きを操作することで、開錠／施錠を完成することを目的としている。しかしながら、盗難防止用鍵穴の規格は一致しておらず、使用者は盗難防止用鍵穴の規格に基づいて、対応するバックルを有する施錠具を購入／携帯する必要があり、非経済的なだけでなく、使用上においても不便がある。
【考案の概要】
【０００４】
本考案の目的は一種の大きさの異なる鍵穴に使用でき、使用上比較的便利な施錠具を提供することである。
【０００５】
本考案の施錠具はハウジングと、回転フックと、駆動装置と、バックルベースと、を有す。ハウジングの一端に前端開口を有す。回転フックはハウジング内部に設置され、ハウジングに相対的に回転可能であり、前端部と、後端部とを有し、前端部は少なくとも部分的に前端開口から突き出ており、後端部は前端部とは反対の方向に延伸している。駆動装置は、加力部品と、第１の駆動部品と、第２の駆動部品と、を有す。加力部品はハウジング外部に設置された受力部分と、ハウジング内部に設置された加力部分と、を有す。受力部分と加力部分はハウジングを通して相連なっており、且つ連動してハウジングと相対する回転が可能である。第１の駆動部品はハウジング内部に設置されており、加力部分と連動して回転を行う。第２の駆動部品はハウジング内部に設置され、第１の駆動部品と連動して回転を行い、選択的に位置を移動することで、前端部の開き幅の大きさを変更する。バックルベースはハウジング内部に設置されており、バックルベースが閉鎖される場合、バックルベースは駆動装置の移動を制限する。
【０００６】
本考案の実施例において、加力部分は周縁上に複数の凸状部品が設置された円板であり、第１の駆動部品は歯車であり、凸状部品は齒輪の歯溝中に噛み合うことで、第１の駆動部品と加力部分を連動回転させる。
【０００７】
本考案の実施例において、回転フックは少なくとも２つであり、その内の少なくとも１つはＸ-Ｙ平面に平行な平面に沿って、ハウジングに相対する回転が可能であり、第２の駆動部品は選択的に位置の移動が可能でありＹ軸方向に沿って異なる深さで後端部までの間に入り込むことで、前端部の開き幅の大きさを変更し、Ｘ軸、Ｙ軸、Ｚ軸は直交関係にある。
【０００８】
本考案の実施例において、加力部分はＸ-Ｙ平面に平行な平面に沿って回転し、第１の駆動部品はＸ-Ｚ平面に平行な平面に沿って回転する。
【０００９】
本考案の実施例において、第１の駆動部品は駆動穴を有し、第２の駆動部品の一端はＹ軸方向に沿って移動する方式で駆動穴に噛み合うことで、第２の駆動部品と第１の駆動部品を連動回転させる。
【００１０】
本考案の実施例において、ハウジング内部にＹ軸に沿って延伸する収納空間を有し、収納空間の側壁上に側壁ねじ山を有す。第２の駆動部品は収納空間内部に設置され、第２の駆動部品は側面に側壁ねじ山とマッチングする駆動部品ねじ山を有する円柱である。第１の駆動部品が回転する際に、第２の駆動部品は連動して回転し、側壁ねじ山と駆動部品ねじ山間の作用により、第２の駆動部品の後端部に向かう一端はＹ軸方向に沿って移動して異なる深さで後端部までの間に入り込む。
【００１１】
本考案の実施例において、第２の駆動部品の後端部に向かう一端に斜面を有する。
【００１２】
本考案の実施例において、施錠具は施錠棒を有し、バックルベースが閉鎖される場合、施錠棒の一端は第１の駆動部品の歯溝中に入り込んで第１の駆動部品の回転を制限する。
【００１３】
本考案の実施例において、施錠棒はＹ軸方向に沿って移動する。
【００１４】
本考案の実施例において、施錠具は弾力を与えて後端部を相互に近づけさせるのに用いる弾性部品をさらに有す。
【図面の簡単な説明】
【００１５】
【図１】図１Ａ及１Ｂは本考案の施錠具の実施例を示す図である。
【図２Ａ】図２Ａは本考案の施錠具の実施例の分解図である。
【図２Ｂ】図２Ｂは本考案の施錠具の実施例の分解図である。
【図３】図３Ａ及３Ｂは本考案の施錠具における凸状部品が歯溝中に噛み合う実施例を示す図である。
【図４】図４Ａ乃至４Ｃは本考案の施錠具における第２の駆動部品が異なる深さで後端部までの間に入り込んだ実施例を示す図である。
【図５Ａ】図５Ａは本考案の施錠具を鍵穴に取り付けた実施例を示す図である。
【図５Ｂ】図５Ｂは本考案の施錠具を鍵穴に取り付けた実施例を示す図である。
【図５Ｃ】図５Ｃは本考案の施錠具を鍵穴に取り付けた実施例を示す図である。
【図６】図６は本考案の施錠具におけるバックルベースがダイヤル錠である実施例を示す図である。
【考案を実施するための形態】
【００１６】
本考案の施錠具は電子機器に用いるものであり、電子機器の鍵穴に連接させるものである。電子機器は携帯式、例えばノートパソコン、タブレット、携帯電話、電子書籍、デジタルフォトフレーム、ＧＰＳ装置、モバイルルータ、パーソナルデジタルアシスタント、ウォークマン（登録商標）、電子辞書等であることが好ましいが、これらに限定されない。
【００１７】
図１Ａ乃至２Ｂに示す実施例のように、本考案の施錠具８００はハウジング１００と、回転フック２００と、駆動装置３００と、バックルベース４００と、を有す。ハウジング１００の一端に前端開口１１０を有す。回転フック２００はハウジング１００内部に設置されており、ハウジング１００と相対的な回転が可能である。本実施例においては、回転フック２００はハウジング１００内部に設置されており、Ｘ-Ｙ平面に平行な平面に沿ってハウジング１００と相対的な回転が可能であり、鋏状の形を呈する。しかしながら、他の実施例においては、回転フック２００は２つ以上であり、少なくともその内の１つはＸ-Ｙ平面に平行な平面に沿ってハウジング１００と相対的な回転が可能であってもよく、鋏状の形状を呈さなくてもよい。回転フック２００は前端部２１０と、後端部２２０と、を有し、前端部２１０は少なくとも部分的に前端開口１１０から突き出しており、前端部２１０の端部には側方に向けて延伸する鉤部２１１を有す。後端部２２０は前端部２１０とは反対方向に延伸している。Ｘ軸、Ｙ軸、Ｚ軸は直交関係にある。
【００１８】
図２Ａと２Ｂに示す実施例のように、駆動装置３００は加力部品３３０と、第１の駆動部品３１０と、第２の駆動部品３２０と、を有し。加力部品３３０はハウジング１００外部に設置された受力部分３３１と、ハウジング１００内部に設置された加力部分３３２と、を有し、受力部分３３１と加力部分３３２はハウジング１００を通して相連なっており、且つ連動して、ハウジング１００と相対的な回転が可能である。さらに具体的には、図２Ａに示す実施例のように、ハウジング１００は駆動装置開口１２０を有し、受力部分３３１と加力部分３３２は駆動装置開口１２０を通して、ハウジング１００を通過するように相連なっている。
【００１９】
図１Ａ乃至２Ｂに示す実施例において、第１の駆動部品３１０はハウジング１００内部に設置されており、加力部分３３２と連動回転を行う。バックルベース４００はハウジング１００内部に設置されており、バックルベース４００が閉鎖される場合、バックルベース４００は駆動装置３００の移動を制限する。更に具体的には、図３Ａ及び３Ｂに示す実施例のように、加力部分３３２は周縁上に複数の凸状部品３３３が設置された円板で、第１の駆動部品３１０は歯車であり、凸状部品３３３は歯車の歯溝３１１中に噛み合うことが可能である。凸状部品３３３と歯車間の抵触によって、加力部分３３２がＸ-Ｙ平面に平行な平面に沿って回転することで、第１の駆動部品３１０をＸ-Ｚ平面に平行な平面に沿って回転させることが可能である。バックルベース４００は施錠棒４１０を有し、バックルベース４００が閉鎖される場合、施錠棒４１０の一端はＹ軸方向に沿って移動し第１の駆動部品３１０の歯溝３１１中に入り込むことで第１の駆動部品３１０の回転を制限し、これにより駆動装置３００の移動も制限する。本実施例において、バックルベース４００は鍵９００と合わせて使用可能な南京錠である。しかしながら図６に示す別の実施例においては、バックルベース４００はダイヤル錠等異なる類型の錠具であってもよい。
【００２０】
図２Ａ及び２Ｂに示す実施例のように、第２の駆動部品３２０はハウジング１００内部に設置され、第１の駆動部品３１０と連動して回転を行うことで、選択的に位置を移動することで、前端部２１０の開き幅の大きさを変更する。本実施例においては、第１の駆動部品３１０は駆動穴３１２を有し、第２の駆動部品３２０の一端３２２はＹ軸方向に移動する形で駆動穴３１２に噛み合うことで、第２の駆動部品３２０と第１の駆動部品３１０を連動回転させることが可能であり。さらに具体的には、駆動穴３１２は多辺形をした空洞であり、第２の駆動部品３２０の一端３２２は外部輪郭がマッチングした多辺形柱体である。よって第２の駆動部品３２０の一端３２２が駆動穴３１２に挿入される場合、Ｘ-Ｚ平面は噛み合い效果を生じさせて、第２の駆動部品３２０と第１の駆動部品３１０の連動回転を可能にするが、Ｙ軸方向においては、噛み合い効果は生じずに相対移動が可能である。
【００２１】
さらに言うと、図４Ａ乃至４Ｃに示す実施例のように、ハウジング１００内部にはＹ軸に沿って延伸する収納空間１４０を有し、収納空間１４０の側壁上には側壁ねじ山１４４が設置されている。第２の駆動部品３２０は収納空間１４０中に設置されており、第２の駆動部品３２０は側面に側壁ねじ山１４４とマッチングする駆動部品ねじ山３２４を有す円柱である。側壁ねじ山１４４と駆動部品ねじ山３２４間の抵触作用によって、第１の駆動部品３１０が回転を行う場合、第２の駆動部品３２０が連動して回転を行うことで第２の駆動部品３２０をＹ軸方向に沿って後端部２２０の一端３２１に向かって移動させ、異なる深さで後端部２２０までの間に入り込む。第２の駆動部品３２０は後端部２２０に向かう一端３２１に斜面を有するため、端３２１がＹ軸方向に沿って移動して、異なる深さで後端部２２０までの間に入り込んで、後端部２２０を下支えするのに役立つ。施錠具８００は例えば輪ゴム等の弾性部品５００をさらに有し、弾力を与えて後端部２２０を相互接近させるのに用いる。
【００２２】
図５Ａに示す実施例のように、使用者は先ず一方向に沿って受力部分３３１（図２Ａを参照）を回転させ、第２の駆動部品３２０の後端部２２０に向かう一端３２１をＹ軸方向に移動させて後端部２２０までの間から離脱させることが可能である。この際に、弾性部品５００の弾力によって、後端部２２０の相互接近を可能とし、これにより、前端部２１０の開き幅の大きさを減少させて鍵穴７２０に挿入させる。図５Ｂに示す実施例のように、前端部２１０が鍵穴７２０に挿入後、使用者は逆方向に沿って、受力部分３３１を回転させ、第２の駆動部品３２０の後端部２２０に向かう一端３２１をＹ軸方向に沿って移動させ部分的に後端部２２０との間に入り込ませる。これにより、後端部２２０は相互離隔することで、前端部２１０の開き幅の大きさを増加させて鍵穴７２０に噛合わせる。この際に、使用者はさらにバックルベース４００（図２Ａを参照）を施錠するよう操作して、前端部２１０を固定することで施錠効果を達成する。図５Ｃに示す別の実施例のように、前端部２１０が鍵穴７１０に挿入後、使用者は逆方向に沿って受力部分３３１を回転させ第２の駆動部品３２０の後端部２２０に向かう一端３２１をＹ軸方向に沿って移動させることでさらに大きい程度で後端部２２０までの間に入り込ませる。この際に、後端部２２０はさらに相互離隔することで、前端部２１０の開き幅の大きさをさらに拡大することで大き目な鍵穴７１０に噛合わせることが可能である。しかしながら、使用者はさらにバックルベース４００を操作することにより施錠效果を達成してもよい。
【００２３】
異なる角度から見ると、本考案の施錠具８００は駆動装置３００の回転を利用して回転フック２００開き幅の大きさの調整と言った目的を達成させることが可能である。駆動装置３００の加力部品３３０と、第１の駆動部品３１０と、第２の駆動部品３２０と、は例えば、歯車、ねじ山等の結構を以って相互にマッチングや噛み合いが可能であり、よって回転の程度に応じて、控制回転フック２００の開き幅を調整し、又それらの回転は実質的に連続的で非段階的な操作であり、連続的で非段階的に回転フック２００の開き幅を調整し、異なる大きさの鍵穴へも使用可能となり、利便性が向上する。
【００２４】
前述の描述及び図面によって本考案における良好な実施例を公開したが、各種の添加、多くの修正や置き換えを本考案の良好な実施例に用いることが可能であり、それらは付随した実用新案登録請求の範囲により定められた本考案原理の精神及び範囲を逸脱しないという点を理解しなければならない。本考案が属する技術の分野における通常の技能を有する者であれば、本考案が多くの形式、結構、レイアウト、比例、材料、素子及び部品の修正に用いられることを理解できる。よって、本文において公開した実施例は本考案の説明に用いるものと見なすべきであり、本考案を限定するものではない。本考案の範囲は付随された実用新案登録請求の範囲によって定められ、その合法的な均等な範囲を網羅しており、先述の描述に限定されない。
【符号の説明】
【００２５】
１００．．．ハウジング
１１０．．．前端開口
１２０．．．駆動装置開口
１３０．．．後端開口
１４０．．．収納空間
１４４．．．側壁ねじ山
２００．．．回転フック
２１０．．．前端部
２２０．．．後端部
２１１．．．鉤部
３００．．．駆動装置
３１０．．．第１の駆動部品
３１１．．．歯溝
３１２．．．駆動穴
３２０．．．第２の駆動部品
３２１．．．端
３２２．．．端
３２４．．．駆動部品ねじ山
３３０．．．加力部品
３３１．．．受力部分
３３２．．．加力部分
３３３．．．凸状部品
４００．．．バックルベース
４１０．．．施錠棒
５００．．．弾性部品
７１０．．．鍵穴
７２０．．．鍵穴
８００．．．施錠具
９００．．．鍵
Ｘ．．．Ｘ軸
Ｙ．．．Ｙ軸
Ｚ．．．Ｚ軸
【図１】
0003235648.tif 000003
【図２Ａ】
0003235648.tif 000004
【図２Ｂ】
0003235648.tif 000005
【図３】
0003235648.tif 000006
【図４】
0003235648.tif 000007
【図５Ａ】
0003235648.tif 000008
【図５Ｂ】
0003235648.tif 000009
【図５Ｃ】
0003235648.tif 000010
【図６】
0003235648.tif 000011